(57)【要約】【課題】端末の小型化を維持しながらもステレオ感が出る折り畳み式携帯無線通信装置を提供する。【解決手段】上端側にスピーカ６が設けられ、中央部にＬＣＤによる表示部５が設けられた第１の筐体１と、操作用の複数の入力キー７が設けられ、下端側にマイク８が設けられた第２の筐体２とがヒンジにより開閉自在となっていて、ヒンジ４の回転軸延長上両端部にスピーカ３を形成する。【選択図】図１
2004282258.tif 000002
【特許請求の範囲】
【請求項１】
第１の筐体と第２の筐体とをヒンジ部を介して互いに回動自在に連結してなる折り畳み式携帯無線通信装置において、前記ヒンジ部の回転軸延長上両端部にスピーカを配設することを特徴とする折り畳み式携帯無線通信装置。
【発明の詳細な説明】
【０００１】
【発明の属する技術分野】
本発明は、折り畳み式携帯無線通信装置に関するものである。
【０００２】
【従来の技術】
近年、携帯無線通信装置としてデータの高速伝送が可能なＰＤＣ（Ｐｅｒｓｏｎａｌ  Ｄｉｇｉｔａｌ  Ｃｅｌｌｕｌａｒ）、ＣＤＭＡ（Ｃｏｄｅ  Ｄｉｖｉｓｉｏｎ  Ｍｕｌｔｉｐｌｅ  Ａｃｃｅｓｓ）、ＧＳＭ（Ｇｌｏｂａｌ  Ｓｙｓｔｅｍ    ｆｏｒ  Ｍｏｂｉｌｅ  Ｃｏｍｍｕｎｉｃａｔｉｏｎ）やＰＨＳ（Ｐｅｒｓｏｎａｌ  Ｈａｎｄｙ−ｐｈｏｎｅ  Ｓｙｓｔｅｍ）等の通信手段を用いた携帯電話機が広く用いられ、さらに、次世代の技術として開発されているＷＣＤＭＡ（Ｗｉｄｅ  ｂａｎｄ  ＣＤＭＡ）、ＣＤＭＡ２０００等の通信手段を用いたものが開発されている。この携帯電話機として、特に、デザイン面での美しさとコンパクト性を兼ね備えた折り畳み式の人気が高まっている。
【０００３】
例えば、特許文献１にも示されているが、図４（ａ）、（ｂ）に示すように、折り畳み式の携帯電話機は、第１の筐体１１と、この第１の筐体１１の下端部にヒンジ１４によって回動可能に連結された第２の筐体１２とを有した構造とされており、ヒンジ１４にて回動させることにより、第１の筐体１１が第２の筐体１２に対して開閉されるようになっている。
【０００４】
第１の筐体１１には、開くことにより露出される液晶ディスプレイからなる表示手段である表示部１５及び音声出力手段であるスピーカ１６が設けられており、表示部１５に各種の文字情報や画像情報が表示され、スピーカ１６から通信相手からの音声等の音が出力されるようになっている。また、線材からなるアンテナ２０が長手方向に沿って挿抜可能に設けられている。第２の筐体１２には、情報入力手段である各種入力キー１７および音声入力手段であるマイク１８が設けられており、入力キー５から各種情報が入力され、マイク１８によって音声入力が行われるようになっている。
【０００５】
そして、この携帯電話機を使用する場合は、第２の筐体１２に対して第１の筐体１１を回動させて開くとともに、アンテナ２０を第１の筐体１１から引き出した状態にて、通信相手と通話するようになっている。
【０００６】
しかし、図４に示すような折り畳み式携帯電話機の場合、多彩な音色を表現できる機能や、最新ヒット曲等をダウンロードし、オリジナル着信音として登録できる機能等を有しているものが開発されているが、このような着信メロディや着信音を鳴らすのにスピーカ１６では、多彩な音の機能を充分に活かすことができなかった。
【０００７】
そこで、特許文献２にも示されているが、図５および図５のＺ−Ｚ線断面図である図６に示すように、第１の筐体２１の内部に２つのステレオ用スピーカ２３を内蔵させ、背面側（表示部の裏面側）に形成された２つの開口部２２から音を出力するようにしていた。
【０００８】
【特許文献１】
特開２００１−２８４９３４号公報
【特許文献２】
特開２００２−１４１９８７号公報
【０００９】
【発明が解決しようとする課題】
ところが、図５や図６に示すような従来の折り畳み式の携帯無線通信装置は、２つのスピーカ２３を同方向で同角度に取り付けているが、装置全体の小型化を維持するために２つのスピーカ２３同士の距離を遠ざけることができず、十分なステレオ感を出すことができないという問題があった。また、図５や図６では、ステレオ感を出すために２つの開口部２２を極力離すように形成させているが、ステレオ感には限界があり、離すことにより開口面積が十分に取れなくなり、音質や音圧が低下し、本来のスピーカ性能を発揮することができないという問題があった。さらに、表示部となるＬＣＤ等の構成部品とスピーカ２３とを重ね合わせることにより、第１の筐体２１の厚さが厚くなってしまうという問題があった。
【００１０】
【課題を解決するための手段】
本発明は、上記問題に鑑みてなされたものであり、第１の筐体と第２の筐体とをヒンジ部を介して互いに回動自在に連結してなる折り畳み式携帯無線通信装置において、前記ヒンジ部の回転軸延長上両端部にスピーカを配設する折り畳み式携帯無線通信装置としたものである。
【００１１】
【発明の実施の形態】
以下、本発明の実施例について図面を用いて説明する。
図１は本発明の折り畳み式携帯無線通信装置である携帯電話機を開いた状態を示す図であり、図２は折り畳んだ状態を示す図であり、第１の筐体１と、この第１の筐体１の下端部にヒンジ４によって回動可能に連結された第２の筐体２とを有しており、ヒンジ４による連結箇所にて第１の筐体１を回動させることにより、第１の筐体１が第２の筐体２に対して開閉されるようになっている。
【００１２】
つまり、第１の筐体１が閉じた状態（図１の状態）から第１の筐体１を回動させることにより、第１の筐体１が開いた状態（図２の状態）とされ、これとは逆に、第１の筐体１が開いた状態から第１の筐体１を逆方向へ回動させることにより、第１の筐体１が閉じた状態とされるようになっている。
【００１３】
第１の筐体１には、その正面側における上端部に、スピーカ６が設けられ、中央部にＬＣＤによる表示部５が設けられている。この表示部５には、各種内容が表示されるようになっている。なお、本実施例は、第１の筐体１にアンテナが内蔵された場合について説明する。
【００１４】
第２の筐体２には、第１の筐体１によって閉ざされる正面側に、操作用の複数の入力キー７が配設されており、これら入力キー７から各種の入力を行うことができるようになっている。また、通話時はマイク８により使用者の声が送信される。
【００１５】
本発明は、図１および図２に示すように、ヒンジ４の回転軸延長上両端部にスピーカ３を形成したことを特徴とする。なお、逃げ９は、第１の筐体１を開く際にスピーカ３に当接しないようにするために形成するものである。
【００１６】
このような構成により、２つのスピーカ３を配設しても筐体の厚みが増すことがなく、ヒンジ４を隠すキャップも不要となり、かつ第１の筐体１開閉時に割れの発生しやすいケースヒンジ部根元の補強にもなる。しかも、２つのスピーカ３を最大限離すためにステレオ感を十分に出すことができ、スピーカ３の開口部に制限がないために開口面積が十分確保でき、スピーカ本体の性能を発揮することができるようになる。
【００１７】
図３は、図１および図２の携帯電話機の組立て途中を示す図であり、ヒンジ４の回転軸延長上両端側に取付部１０を形成し、第１の筐体１および第２の筐体２の上側２ａがヒンジ４により連結されたものと、ヒンジ４の回転軸延長上両端側に取り付けられたスピーカ３が形成された第２の筐体２の下側２ｂとを一体化させる直前の状態を示す図である。図３に示すように、取付部１０がスピーカ３を覆うように２つのユニットを一体化することにより、第２の筐体２の上側２ａと下側２ｂとが結合することにより、図１および図２の状態となるようになる。
【００１８】
【発明の効果】
以上説明したように、本発明の折り畳み式携帯無線通信装置によれば、ヒンジ部の回転軸延長上両端部にスピーカを配設することにより、端末の小型化を維持しながらもステレオ感が出る折り畳み式携帯無線通信装置を提供することができる。
【図面の簡単な説明】
【図１】本発明の折り畳み式携帯無線通信装置の折り畳み状態を示す図である。
【図２】本発明の折り畳み式携帯無線通信装置の開いた状態を示す図である。
【図３】本発明の折り畳み式携帯無線通信装置の組み立て途中状態を示す図である。
【図４】従来の折り畳み式携帯無線通信装置を示す斜視図である。
【図５】従来の折り畳み式携帯無線通信装置を示す斜視図である。
【図６】図５のＺ−Ｚ線断面を示す断面図である。
【符号の説明】
１，１１：第１の筐体
２，１２：第２の筐体
３，６，１６，２３：スピーカ
４，１４：ヒンジ
５，１５：表示部
７，１７：入力キー
８，１８：マイク
２０：アンテナ
【図１】
2004282258.tif 000003
【図２】
2004282258.tif 000004
【図３】
2004282258.tif 000005
【図４】
2004282258.tif 000006
【図５】
2004282258.tif 000007
【図６】
2004282258.tif 000008